(57)【特許請求の範囲】
【請求項１】
コンピュータを、
受信側とファクシミリ通信することで受信能力を示す情報を受け付け、光学走査部が原稿を光学走査して生成された原稿画像情報から前記受信能力に応じて送信用画像情報を生成する通信制御手段と、
前記送信用画像情報の内容を表示処理するプレビュー手段として機能させる画像処理プログラムであって、
前記プレビュー手段は、前記送信用画像情報が前記原稿画像情報に比べてデータ量が減少した場合に前記送信用画像情報の内容を表示処理する画像処理プログラム。
【請求項２】
前記通信制御手段は、前記送信用画像情報が前記原稿画像情報に比べてデータ量が減少しない場合に前記送信用画像情報を前記受信側に送信し、
前記プレビュー手段は、前記送信用画像情報の内容を表示処理しない請求項１に記載の画像処理プログラム。
【請求項３】
前記送信用画像情報を文字認識する文字認識手段としてさらに機能させ、
前記プレビュー手段は、前記文字認識手段の認識結果を前記送信用画像情報の内容とともに表示する請求項１に記載の画像処理プログラム。
【請求項４】
受信側とファクシミリ通信することで受信能力を示す情報を受け付け、光学走査部が原稿を光学走査して生成された原稿画像情報から前記受信能力に応じて送信用画像情報を生成する通信制御手段と、
前記送信用画像情報の内容を表示処理するプレビュー手段とを有し、
前記プレビュー手段は、前記送信用画像情報が前記原稿画像情報に比べてデータ量が減少した場合に前記送信用画像情報の内容を表示処理する画像処理装置。
【発明の詳細な説明】
【技術分野】
【０００１】
本発明は、画像処理プログラム及び画像処理装置に関する。
【背景技術】
【０００２】
従来の技術として、読み取った画像の中に白紙がある場合に読取画像をプレビュー表示する画像形成装置が提案されている（例えば、特許文献１参照）。
【０００３】
特許文献１に開示された画像形成装置は、原稿読取手段と、原稿読取手段により読み込んだ原稿画像情報の中から白紙の画像情報を検出する白紙検出手段と、白紙検出手段が検出した白紙の画像情報を除く原稿画像情報についてプレビュー表示する表示手段とを有し、表示手段により表示された内容を利用者に確認させる。
【先行技術文献】
【特許文献】
【０００４】
【特許文献１】特開２０１０−１６７７０号公報
【発明の概要】
【発明が解決しようとする課題】
【０００５】
本発明の目的は、読み取った原稿をファクシミリ送信する前に受信機側における出力状態を利用者に確認させる画像処理プログラム及び画像処理装置を提供することにある。
【課題を解決するための手段】
【０００６】
本発明の一態様は、上記目的を達成するため、以下の画像処理プログラム及び画像処理装置を提供する。
【０００７】
［１］コンピュータを、
受信側とファクシミリ通信することで受信能力を示す情報を受け付け、光学走査部が原稿を光学走査して生成された原稿画像情報から前記受信能力に応じて送信用画像情報を生成する通信制御手段と、
前記送信用画像情報の内容を表示処理するプレビュー手段として機能させる画像処理プログラムであって、
前記プレビュー手段は、前記送信用画像情報が前記原稿画像情報に比べてデータ量が減少した場合に前記送信用画像情報の内容を表示処理する画像処理プログラム。
［２］前記通信制御手段は、前記送信用画像情報が前記原稿画像情報に比べてデータ量が減少しない場合に前記送信用画像情報を前記受信側に送信し、
前記プレビュー手段は、前記送信用画像情報の内容を表示処理しない前記［１］に記載の画像処理プログラム。
［３］前記送信用画像情報を文字認識する文字認識手段としてさらに機能させ、
前記プレビュー手段は、前記文字認識手段の認識結果を前記送信用画像情報の内容とともに表示する前記［１］に記載の画像処理プログラム。
［４］受信側とファクシミリ通信することで受信能力を示す情報を受け付け、光学走査部が原稿を光学走査して生成された原稿画像情報から前記受信能力に応じて送信用画像情報を生成する通信制御手段と、
前記送信用画像情報の内容を表示処理するプレビュー手段とを有し、
前記プレビュー手段は、前記送信用画像情報が前記原稿画像情報に比べてデータ量が減少した場合に前記送信用画像情報の内容を表示処理する画像処理装置。
【発明の効果】
【０００８】
請求項１又は４に係る発明によれば、読み取った原稿をファクシミリ送信する前に送信用画像情報が原稿画像情報に比べてデータ量が減少する場合に受信機側における出力状態としての送信用画像情報の内容を利用者に確認させることができる。
請求項２に係る発明によれば、送信用画像情報が原稿画像情報に比べてデータ量が減少しない場合に送信用画像情報を受信側に送信することができる。
請求項３に係る発明によれば、文字認識手段の認識結果を送信用画像情報の内容とともに表示することができる。
【図面の簡単な説明】
【０００９】
【図１】図１は、実施の形態に係る本発明の通信システムの構成例を示す概略図である。
【図２】図２は、画像処理装置の構成例を示すブロック図である。
【図３】図３は、原稿画像プレビュー手段が表示部に表示するプレビュー表示画面の構成例を示す概略図である。
【図４】図４は、通信結果情報の構成の一例を示す概略図である。
【図５】図５は、画像処理装置の動作例を示すフローチャートである。
【図６】図６は、原稿画像プレビュー手段が表示部に表示するプレビュー表示画面の構成の他の例を示す概略図である。
【発明を実施するための形態】
【００１０】
［実施の形態］
（通信システムの構成）
図１は、実施の形態に係る本発明の通信システムの構成例を示す概略図である。
【００１１】
この通信システムは、画像処理装置１と、外部の画像処理装置４Ａ及び４Ｂとを例えば公衆網であるネットワーク５を介して通信可能に接続されて構成されており、画像処理装置１と外部の画像処理装置４Ａ及び４Ｂとの間で一例としてファクシミリ（以下、「ＦＡＸ」という。）の方式によって情報の送受信を行う。なお、画像処理装置４ＡのＦＡＸの受信能力は、最大サイズがＡ４、最大解像度が２００ｄｐｉであり、画像処理装置４ＢのＦＡＸの受信能力は、最大サイズがＡ３、最大解像度が６００ｄｐｉであるものとする。また、ＦＡＸはインターネットＦＡＸやＩＰ−ＦＡＸ等であってもよい。
【００１２】
画像処理装置１は、ＦＡＸ送受信機能、プリンタ、スキャナ、コピー機能を有する装置であって、情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。画像処理装置１は、原稿２を光学走査部１４において読み取り、表示部１２に読み取り結果を表示して、ＦＡＸ通信部１６においてＦＡＸ送信を行う。なお、原稿２を読み取る際の読取条件は、サイズがＡ３、解像度が６００ｄｐｉであるものとする。
【００１３】
タブレット端末３は、画像処理装置１と一例として無線で通信し、画像処理装置１が光学走査部１４において読み取った原稿２の読み取り結果を表示するとともに、読み取った原稿２の画像をＦＡＸ送信するよう画像処理装置１を制御する。
【００１４】
画像処理装置４Ａ及び４Ｂは、ＦＡＸ送受信機能を有していればよく、画像処理装置１から送信される情報を受信して印刷又は表示するものであり、例えば、ファクシミリ専用機又はプリンタであるが、画像処理装置１から送信される情報を受信して表示のみするＰＣ、タブレット端末、携帯電話等であってもよい。
【００１５】
ネットワーク５は、例えば、電気通信事業者が設営した有料の通信ネットワークであり、公衆交換通信網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）やＩＰ通信網（Ｉｎｔｅｒｎｅｔ  Ｐｒｏｔｏｃｏｌ）等の外部ネットワークである。
【００１６】
図２は、画像処理装置１の構成例を示すブロック図である。
【００１７】
画像処理装置１は、ＣＰＵ等から構成され、各部を制御するとともに、各種のプログラムを実行する制御部１０と、フラッシュメモリ等の記憶媒体から構成され情報を記憶する記憶部１１と、文字や画像等を表示する表示部１２と、画像処理装置１を操作するための操作部１３と、文字や画像等の書き込まれた用紙を光学走査する光学走査部１４と、用紙に印刷を実行する印刷部１５と、ネットワーク５を介して外部とＦＡＸの方式で通信するＦＡＸ通信部１６と、一例として無線により外部と通信する通信部１７とを備える。
【００１８】
制御部１０は、後述する画像処理プログラム１１０を実行することで、光学走査制御手段１００、ＦＡＸ通信制御手段１０１、原稿画像プレビュー手段１０２及び文字認識手段１０３等として機能する。
【００１９】
光学走査制御手段１００は、光学走査設定情報１１１に基づいて解像度、サイズ等の光学走査部１４の原稿読取条件を設定するとともに、光学走査部１４を制御して原稿２を読み取る。
【００２０】
ＦＡＸ通信制御手段１０１は、ＦＡＸ通信部１６を制御して、宛先情報１１４の宛先又は利用者によって操作部１３を介して入力された宛先と通信して、画像処理装置１の送信能力を送信するとともに宛先である受信側の画像処理装置４Ａ又は４Ｂの受信能力を受け取る能力交換を実行する。具体的には、ＩＴＵ−Ｔ勧告、Ｔ．３０勧告に基づき、ＮＳＦやＤＩＳにより受信能力を受け取る。
【００２１】
また、ＦＡＸ通信制御手段１０１は、原稿画像情報１１２から解像度、サイズ等を受信機の受信能力に合わせて送信用画像情報１１３を生成する。また、送信用画像情報１１３を送信するとともに、通信結果を通信結果情報１１５として記憶部１１に格納する。
【００２２】
原稿画像プレビュー手段１０２は、送信用画像情報１１３をプレビュー画像として表示処理し、表示部１２に表示させる。
【００２３】
文字認識手段１０３は、送信用画像情報１１３についてＯＣＲ（Ｏｐｔｉｃａｌ  Ｃｈａｒａｃｔｅｒ  Ｒｅｃｏｇｎｉｔｉｏｎ）を実行し、ＯＣＲ結果を表示処理し、表示部１２に表示させる。
【００２４】
記憶部１１は、制御部１０を上述した各手段１００−１０３として動作させる画像処理プログラム１１０、光学走査設定情報１１１、原稿画像情報１１２、送信用画像情報１１３、宛先情報１１４及び通信結果情報１１５等を記憶する。
【００２５】
（画像処理装置の動作）
以下に、実施の形態の画像処理装置１の動作を図１−図５を参照しつつ、（１）基本動作、（２）プレビュー動作及び（３）ＦＡＸ送信動作に分けて説明する。
【００２６】
（１）基本動作
図５は、画像処理装置１の動作例を示すフローチャートである。
【００２７】
まず、画像処理装置１の利用者は、操作部１３を操作し、ＦＡＸ受付の準備をする。
【００２８】
画像処理装置１は、利用者の操作に応じてＦＡＸ送信要求の受付を開始し（Ｓ１；Ｙｅｓ）、送信先の電話番号の選択又は入力を受け付けるとともに、光学走査部１４の原稿台にＦＡＸ送信する対象となる原稿２をセットするよう利用者に促す。
【００２９】
利用者は、送信先の電話番号を宛先情報１１４から選択又は新たに入力するとともに、原稿２を原稿台にセットし、原稿２を光学走査部１４において読み取らせるため操作部１３を操作する。
【００３０】
画像処理装置１の光学走査制御手段１００は、光学走査設定情報１１１に基づいて光学走査部１４に対する解像度、サイズ等の原稿読取条件を設定し、当該条件で光学走査部１４を制御して原稿２を読み取る（Ｓ２）。ここでは、一例として、サイズＡ３、解像度６００ｄｐｉを原稿読取条件として光学走査設定情報１１１に設定する。なお、光学走査設定情報１１１は、工場出荷時に予め設定されているものであってもよいし、利用者によって設定されるものであってもよい。
【００３１】
光学走査部１４は、原稿２を読み取って原稿画像情報１１２を生成して記憶部１１に格納する（Ｓ３）。
【００３２】
次に、ＦＡＸ通信制御手段１０１は、ＦＡＸ通信部１６を制御して、選択された宛先情報１１４の宛先又は利用者によって操作部１３を介して入力された宛先の画像処理装置４Ａ又は４Ｂと通信して、画像処理装置１の送信能力を送信するとともに宛先である受信側の画像処理装置４Ａ又は４Ｂの受信能力を受け取る能力交換を実行する（Ｓ４）。ここでは、宛先が画像処理装置４Ａである場合は、受信能力として最大サイズがＡ４、最大解像度が２００ｄｐｉを受け取り、宛先が画像処理装置４Ｂである場合は、最大サイズがＡ３、最大解像度が６００ｄｐｉを受け取る。
【００３３】
次に、ＦＡＸ通信制御手段１０１は、原稿画像情報１１２から解像度、サイズ等を受信機の受信能力に合わせて送信用画像情報１１３を生成する（Ｓ５）。ここでは、宛先が画像処理装置４Ａである場合は、サイズをＡ４、解像度を２００ｄｐｉとした送信用画像情報１１３を生成し、宛先が画像処理装置４Ｂである場合は、原稿画像情報１１２と同様の品質の送信用画像情報１１３を生成する。
【００３４】
（２）プレビュー動作
次に、原稿画像プレビュー手段１０２は、宛先を画像処理装置４Ａとした場合のように、送信用画像情報１１３の画像の品質が原稿画像情報１１２に比べて劣化する場合（Ｓ６；Ｙｅｓ）、具体的には原稿画像情報１１２に比べて送信用画像情報１１３のデータ量が減少する場合、送信用画像情報１１３のプレビュー画像を表示部１２に表示する（Ｓ７）。なお、宛先を画像処理装置４Ｂとした場合にように、送信用画像情報１１３の画像の品質が原稿画像情報１１２に比べて劣化しない場合（Ｓ６；Ｎｏ）、具体的には原稿画像情報１１２に比べて送信用画像情報１１３のデータ量が減少しない場合、プレビュー画像を表示部１２に表示せずステップＳ９へと処理を進める。
【００３５】
図３は、原稿画像プレビュー手段１０２が表示部１２に表示するプレビュー表示画面の構成例を示す概略図である。
【００３６】
プレビュー表示画面１２ａは、送信先の電話番号等を表示する宛先１２０と、原稿読取条件を表示する設定１２１と、プレビュー画像１０２ａを表示するプレビュー画像表示領域１２２と、宛先の受信能力を表示する受信能力１２３と、送信用画像情報１１３を送信するための送信ボタン１２４と、プレビュー画像１０２ａの表示を拡大又は縮小するための拡大縮小ボタン１２５と、送信を中止するキャンセルボタン１２６とを有する。
【００３７】
利用者は、プレビュー表示画面１２ａを確認し、操作部１３を操作して、プレビュー画像１０２ａの内容を拡大又は縮小しながら確認し、問題がなければ送信ボタン１２４を操作する（Ｓ８；Ｙｅｓ）。また、文字や画像が読みづらいと感じた場合はキャンセルボタン１２６を操作する（Ｓ８；Ｎｏ）。なお、キャンセルボタン１２６が押下された場合は、ステップＳ１へ戻り処理を繰り返すが、この場合様々な対応が可能であって、例えば、利用者によって原稿２自体を変更してもよいし、原稿２の読取条件を変更してもよいし、サイズがＡ３で読み込まれた原稿画像情報１１２をサイズがＡ４の画像２枚とした送信用画像情報１１３として生成して再度プレビュー表示してもよい。
【００３８】
（３）ＦＡＸ送信動作
次に、ＦＡＸ通信制御手段１０１は、上記したステップＳ８において送信ボタン１２４が操作された場合（Ｓ８；Ｙｅｓ）、送信用画像情報１１３を宛先である画像処理装置４Ａに送信する（Ｓ９）とともに、画像が劣化した旨を通信結果情報１１５に通常の通信結果の項目とともに付記する（Ｓ１０）。また、同様に、上記したステップＳ６において宛先を画像処理装置４Ｂとした場合にように、送信用画像情報１１３の画像の品質が原稿画像情報１１２に比べて劣化しない場合（Ｓ６；Ｎｏ）、送信用画像情報１１３を宛先である画像処理装置４Ａに送信する（Ｓ９）。
【００３９】
図４は、通信結果情報１１５の構成の一例を示す概略図である。
【００４０】
通信結果情報１１５は、通信結果を識別するための番号と、通信が行われた年月日と、通信が行われた時刻と、宛先の名前を示す宛先名と、送信用画像情報１１３のページ数と、通信が成功したか否かを示す結果と、画像劣化が生じたか否かを示すその他とを有する。
【００４１】
ＦＡＸ通信制御手段１０１は、上記したステップＳ１０において、画像劣化が生じた場合は通信結果情報１１５のその他の項目に「※画像劣化あり」と記載し、画像劣化が生じていない場合は通常の通信結果の項目にのみ情報を記載する。
【００４２】
（実施の形態の作用・効果）
上記した実施の形態によれば、光学走査設定情報１１１に基づいた読取条件で原稿画像情報１１２を生成し、当該原稿画像情報１１２から宛先の受信能力に合わせた送信用画像情報１１３を生成し、画像劣化がある場合はプレビュー画像を表示部１２に表示して、利用者に確認させるようにしたため、読み取った原稿２の受信機側における出力状態を利用者に確認させることができる。
【００４３】
［他の実施の形態］
なお、本発明は、上記実施の形態に限定されず、本発明の要旨を逸脱しない範囲で種々な変形が可能である。例えば、送信用画像情報１１３の内容を文字認識手段１０３によって認識させてもよい。
【００４４】
図６は、原稿画像プレビュー手段１０２が表示部１２に表示するプレビュー表示画面の構成の他の例を示す概略図である。
【００４５】
プレビュー表示画面１２ｂは、宛先１２０と、設定１２１と、プレビュー画像表示領域１２２と、受信能力１２３と、送信ボタン１２４と、拡大縮小ボタン１２５と、キャンセルボタン１２６とに加え、文字認識手段１０３によって認識する範囲を示すＯＣＲ範囲１２７と、文字認識手段１０３によって文字認識された結果を示すＯＣＲ結果１２８とを有する。
【００４６】
利用者は、プレビュー表示画面１２ｂを確認し、ＯＣＲ結果１２８の内容が実際の原稿２の内容と一致しているか確認して、内容が一致していると判断した場合には操作部１３を操作して送信ボタン１２４を押下する。また、内容が一致していないと判断した場合にはキャンセルボタン１２６を押下する。
【００４７】
また、プレビュー表示画面１２ａ及び１２ｂは、タブレット端末３の表示部に表示されるものであってもよい。
【００４８】
利用者は、タブレット端末３のプレビュー表示画面を確認し、タブレット端末３の操作部としてのタッチパネルを操作して、上記同様に操作する。
【００４９】
タブレット端末３の表示部にプレビュー画像を表示することにより、画像処理装置１の表示部１２に表示する場合に比べて、より詳細にプレビュー画像を表示することができ、操作部１３を操作することなくタブレット端末３単体でプレビュー画像を選択する操作をすることができる。
【００５０】
また、上記した実施の形態はＦＡＸを送信する場合について説明したが、光学走査することで生成される画像情報を扱い、受信側に受信能力が設定されているものであれば、コピーをする場合やメールに添付して送信する場合にも同様に本発明を適用することができる。
【００５１】
また、プレビュー表示画面１２ａ、１２ｂ及び３０において、単一のプレビュー画像を表示した例を示したが、複数のプレビュー画像を一覧表示するようにしてもよい。
【００５２】
また、ＦＡＸ通信制御手段１０１は、送信用画像情報１１３が原稿画像情報１１２に比べてデータ量が減少した場合に、プレビュー表示画面を表示することなく通信結果情報１１５を表示するものであってもよいし、プレビュー表示画面を表示することなく警告を表示したり、音声、光、振動等で利用者に伝えるものであってもよい。
【００５３】
また、上記画像処理プログラム１１０をＣＤ−ＲＯＭ等の記憶媒体に格納して提供することも可能であり、インターネット等のネットワークに接続されているサーバ装置等から装置内の記憶部にダウンロードしてもよい。また、各手段１００−１０３の一部又は全部をＡＳＩＣ等のハードウェアによって実現してもよい。なお、上記実施の形態の動作説明で示した各ステップは、順序の変更、ステップの省略、追加が可能である。
【符号の説明】
【００５４】
１     画像処理装置
２     原稿
３     タブレット端末
４Ａ、４Ｂ    画像処理装置
５     ネットワーク
１０   制御部
１１   記憶部
１２   表示部
１２ａ、１２ｂ       プレビュー表示画面
１３   操作部
１４   光学走査部
１５   印刷部
１６   ＦＡＸ通信部
１７   通信部
１００ 光学走査制御手段
１０１ ＦＡＸ通信制御手段
１０２ 原稿画像プレビュー手段
１０３ 文字認識手段
１１０ 画像処理プログラム
１１１ 光学走査設定情報
１１２ 原稿画像情報
１１３ 送信用画像情報
１１４ 宛先情報
１１５ 通信結果情報
１２０ 宛先
１２１ 設定
１２２ プレビュー画像表示領域
１２３ 受信能力
１２４ 送信ボタン
１２５ 拡大縮小ボタン
１２６ キャンセルボタン
１２７ ＯＣＲ範囲
１２８ ＯＣＲ結果
【図１】
0006446926.tif 000002
【図２】
0006446926.tif 000003
【図３】
0006446926.tif 000004
【図４】
0006446926.tif 000005
【図５】
0006446926.tif 000006
【図６】
0006446926.tif 000007